(57)【要約】【課題】レンズ間距離を精度良く調整可能でありながら遮光機能を発揮できるレンズ、レンズユニット及びカメラモジュールを提供する。【解決手段】フランジ部Ｌ２ｂに当接するフランジ部Ｌ３ｂと、フランジ部Ｌ１ｂに当接するフランジ部Ｌ２ｂの当接面に、光軸と平行な方向が深さ方向となるように溝部Ｌ３ｃ、Ｌ２ｃをそれぞれ設けて、更に溝部Ｌ３ｃ、Ｌ２ｃ内に遮光材ＳＨを充填してなるので、遮光材ＳＨによりホルダ５５内に侵入した不要光が撮像素子５２に至ることを抑制でき、しかも遮光材ＳＨは溝部Ｌ３ｃ、Ｌ２ｃの縁から溢れ出ないように充填されているので、フランジ部同士を互いに当接させた際に遮光材ＳＨが干渉せず、それにより所望のレンズ間距離を得ることができる。【選択図】図１
2010217279.tif 000002
【特許請求の範囲】
【請求項１】
光学機能部と、前記光学機能部外に形成されたフランジ部とを有するレンズであって、
前記フランジ部の表面に、溝部を形成し、前記溝部内に遮光材を充填してなることを特徴とするレンズ。
【請求項２】
前記溝部は前記フランジ部の表面に光軸とは略平行な方向に形成されると共に、前記溝部内に遮光材が収まるように充填されていることを特徴とする請求項１記載のレンズ。
【請求項３】
前記溝部を複数有し、それぞれは前記フランジ部の表面に光軸とは略平行な方向に形成されると共に、互いに対向する向きに形成されていることを特徴とする請求項１又は２に記載のレンズ。
【請求項４】
前記溝部を複数備え、その内の少なくとも２つはそれぞれ前記フランジ部の互いに対向する面に形成されると共に、それぞれの溝部が、一方の溝部により薄くなったフランジ部の厚みを更に薄くするような干渉位置からずらして形成されていることを特徴とする請求項１~３のいずれか一つに記載のレンズ。
【請求項５】
前記溝部は、前記レンズの全周に形成されていることを特徴とする請求項１~４のいずれか一つに記載のレンズ。
【請求項６】
前記遮光材は、固化した遮光性ＵＶ樹脂であることを特徴とする請求項１〜５のいずれかに記載のレンズ。
【請求項７】
前記遮光材は、固化した遮光性熱硬化性樹脂であることを特徴とする請求項１〜６のいずれかに記載のレンズ。
【請求項８】
第１光学機能部と、前記第１光学機能部外に形成された第１フランジ部とを備えた第１レンズと、
第２光学機能部と、前記第２光学機能部外に形成された第２フランジ部とを備えた第２レンズと、を有するカメラモジュール用のレンズユニットであって、
互いに当接し合う前記第１フランジ部と前記第２フランジ部の内少なくとも一方の当接面に、溝部を形成し、前記溝部内に遮光材が収まるように充填してなることを特徴とするレンズユニット。
【請求項９】
前記溝部には、前記遮光材の他に、前記第１フランジ部と前記第２フランジ部との接合用の接着剤を充填したことを特徴とする請求項８に記載のレンズユニット。
【請求項１０】
前記第１レンズは、前記カメラモジュールの撮像素子にもっとも近い位置に配置されていることを特徴とする請求項８又は９に記載のレンズユニット。
【請求項１１】
前記溝部を複数備え、そのうちの少なくとも二つは互いに対向して形成されていることを特徴とする請求項８〜１０のいずれかに記載のレンズ。
【請求項１２】
前記溝部は、前記レンズの全周に形成されていることを特徴とする請求項８〜１１のいずれかに記載のレンズ。
【請求項１３】
前記遮光材は、固化した遮光性ＵＶ樹脂であることを特徴とする請求項８〜１２のいずれかに記載のレンズ。
【請求項１４】
前記遮光材は、固化した遮光性熱硬化性樹脂であることを特徴とする請求項８〜１２のいずれかに記載のレンズ。
【請求項１５】
請求項１〜７に記載のレンズのいずれか、もしくは請求項８〜１４に記載のレンズユニットのいずれかを有することを特徴とするカメラモジュール。
【発明の詳細な説明】
【技術分野】
【０００１】
本発明は、レンズ、レンズユニット及びカメラモジュールに関し、特にＣＣＤ型イメージセンサあるいはＣＭＯＳ型イメージセンサ等の固体撮像素子を用いた小型のカメラモジュールに好適なレンズ、レンズユニット及びカメラモジュールに関する。
【背景技術】
【０００２】
従来より小型で薄型の撮像装置が、携帯電話機やＰＤＡ（Ｐｅｒｓｏｎａｌ Ｄｉｇｉｔａｌ Ａｓｓｉｓｔａｎｔ）等の小型、薄型の電子機器である携帯端末に搭載されるようになり、これにより遠隔地へ音声情報だけでなく画像情報も相互に伝送することが可能となっている。
【０００３】
これらの撮像装置に使用される撮像素子としては、ＣＣＤ（Ｃｈａｒｇｅ Ｃｏｕｐｌｅｄ Ｄｅｖｉｃｅ）型イメージセンサやＣＭＯＳ（Ｃｏｍｐｌｅｍｅｎｔａｒｙ Ｍｅｔａｌ−Ｏｘｉｄｅ Ｓｅｍｉｃｏｎｄｕｃｔｏｒ）型イメージセンサ等の固体撮像素子が使用されている。
【０００４】
近年、これら携帯端末の普及の増大に伴い、より高画質の画像が得られるよう、高画素数の撮像素子を使用した撮像装置の搭載されたものが市場に供給されつつある。この撮像装置は、高画素数の撮像素子に対応して、解像度の向上を目的として複数枚のレンズを使用した光学系が用いられるようになっている。
【０００５】
これら複数枚のレンズを使用した、携帯端末に用いられる撮像光学系として、プラスチック材料で成形されたレンズを複数枚用い、一方のレンズのフランジ部内周部と他方のレンズのフランジ部外周部とを同径で且つ光軸に平行にして係合させ、複数枚のレンズの光軸直交方向の位置決めをおこなうものが開示されている。
【０００６】
また、外部から侵入した不要光によるゴーストやフレアの防止を目的として、複数枚のレンズの間に遮光シートを挿入することが行われている（特許文献１参照）。
【先行技術文献】
【特許文献】
【０００７】
【特許文献１】特開２００５−２４２３１９号公報
【特許文献２】特開２００８−１２２８０１号公報
【発明の概要】
【発明が解決しようとする課題】
【０００８】
しかるに、特許文献１の従来技術によれば、所望の光学性能を確保するためには、レンズ同士を直接当接させて所定のレンズ間距離とする必要があるため、当接用の脚部が通過できるよう遮光シートの一部を切り欠かなくてはならない。従って、かかる切欠を介して不要光が侵入し、ゴーストやフレアを発生させる恐れがある。これに対し、特許文献２に示すように、遮光性接着剤を、２枚のレンズの間に全周に塗布することで、不要光の侵入を防止する技術も存在する。しかしながら、レンズ同士の当接面に遮光性接着剤を塗布すると、レンズ間距離の調整のために押圧することにより、遮光性接着剤の厚さがばらついてしまい、それにより遮光機能が十分に発揮されない恐れがある。又、遮光性接着剤の中には、遮光機能と接着機能とが相反するというものもあり、これを用いた場合、遮光機能を向上させようとすると接着機能が低下し、接着機能を向上させようとすると遮光機能が低下するというトレードオフの問題が生じる。
【０００９】
本発明は、このような問題点に鑑みてなされたものであり、レンズ間距離を精度良く調整可能でありながら遮光機能を発揮できるレンズ、レンズユニット及びカメラモジュールを提供することを目的とする。
【課題を解決するための手段】
【００１０】
上記課題を解決するために、本発明の第１の態様によれば、
光学機能部と、前記光学機能部外に形成されたフランジ部とを有するレンズであって、
前記フランジ部の表面に、溝部を形成し、前記溝部内に遮光材を充填してなるレンズが提供される。
【００１１】
また第２の態様によれば、
第１光学機能部と、前記第１光学機能部以外に形成された第１フランジ部とを備えた第１レンズと、
第２光学機能部と、前記第２光学機能部外に形成された第２フランジ部とを備えた第２レンズと、を有するカメラモジュール用のレンズユニットであって、
互いに当接し合う前記第１フランジ部と前記第２フランジ部の内少なくとも一方の当接面に、溝部を形成し、前記溝部内に遮光材が収まるように充填してなるレンズユニットが提供される。
【００１２】
本発明の第１の態様によれば、前記フランジ部の表面に、光軸と直交する方向もしくは光軸と平行な方向が深さ方向となるように溝部を形成し、前記溝部内に遮光材を充填してなるので、前記遮光材により不要光の侵入を抑制でき、しかも例えば複数間のレンズ同士を当接させて、所望のレンズ間距離を得る場合でも、前記遮光材が前記溝部内に充填されているので、相手のレンズの当接部位に接触しないようにでき、それによりレンズ間距離に影響を与えないようにできる。
【００１３】
なお「遮光材」としては、溝部に充填する前は液体もしくは流動体であり、溝部に充填された後に固化するものが好ましく、接着剤の中にカーボンブラックや金属粉(アルミニウム粉など)などを含有させたものや、例えば特開２００７−２６２２７３号公報に記載されたものなどを用いることができる。また、遮光性能としては、10μmの厚みで可視光領域の透過率が10％以下であるものが望ましい。
【００１４】
本発明の別な態様によれば、前記溝部は前記フランジ部の表面に光軸とは略平行な方向に形成されると共に、前記溝部内に遮光材が収まるように充填されていることを特徴とする。
【００１５】
本発明の別な態様によれば、前記溝部を複数有し、それぞれは前記フランジ部の表面に光軸とは略平行な方向に形成されると共に、互いに対向する向きに形成されていることを特徴とする。
【００１６】
本発明の別な態様によれば、前記溝部を複数備え、その内の少なくとも２つはそれぞれ前記フランジ部の互いに対向する面に形成されると共に、それぞれの溝部が、一方の溝部により薄くなったフランジ部の厚みを更に薄くするような干渉位置からずらして形成されていることを特徴とする。
【００１７】
本発明の別な態様によれば、前記溝部は、前記レンズの全周に形成されていることを特徴とする。
【００１８】
本発明の別な態様によれば、前記遮光材は、固化した遮光性ＵＶ樹脂であることを特徴とする。遮光性ＵＶ樹脂とは、遮光性顔料を含有したＵＶ樹脂等をいう。
【００１９】
本発明の別な態様によれば、前記遮光材は、固化した遮光性熱硬化性樹脂であることを特徴とする。遮光性熱硬化性樹脂とは、遮光性顔料を含有した熱硬化性樹脂等をいう。
【００２０】
本発明の第２の態様によれば、互いに当接し合う前記第１フランジ部と前記第２フランジ部の内少なくとも一方の当接面に、光軸と直交する方向もしくは光軸と平行な方向が深さ方向となるように溝部を形成し、前記溝部内に遮光材が収まるように充填してなるので、前記遮光材により不要光の侵入を抑制でき、しかも前記第１フランジ部と前記第２フランジ部とを互いに当接させて、所望のレンズ間距離を得る際に、前記遮光材が前記溝部内に充填されているので、レンズの当接部位に接触しないようにでき、それによりレンズ間距離に影響を与えないようにできる。
【００２１】
本発明の別な態様によれば、前記溝部には、前記遮光材の他に、前記第１フランジ部と前記第２フランジ部との接合用の接着剤を充填したことを特徴とする。
【００２２】
本発明の別な態様によれば、前記第１レンズは、前記カメラモジュールの撮像素子にもっとも近い位置に配置されていることを特徴とする。
【００２３】
本発明の別な態様によれば、前記溝部を複数備え、そのうちの少なくとも二つは互いに対向して形成されていることを特徴とする。
【００２４】
本発明の別な態様によれば、前記溝部は、前記レンズの全周に形成されていることを特徴とする。
【００２５】
本発明の別な態様によれば、前記遮光材は、固化した遮光性ＵＶ樹脂であることを特徴とする。
【００２６】
本発明の別な態様によれば、前記遮光材は、固化した遮光性熱硬化性樹脂であることを特徴とする。
【００２７】
カメラモジュールは、上述のレンズもしくはレンズユニットを有することを特徴とする。
【発明の効果】
【００２８】
本発明によれば、レンズ間距離を精度良く調整可能でありながら遮光機能を発揮できるレンズ、レンズユニット及びカメラモジュールを提供することができる。
【発明を実施するための形態】
【００２９】
以下、本発明の実施の形態を、図面を参照して説明する。図１は、本実施の形態にかかるカメラモジュール５０の断面図であり、図２は、カメラモジュール５０の矢印II部を拡大して示す図である。
【００３０】
図１に示すように、カメラモジュール５０は、光電変換部５１ａを有する固体撮像素子としてのＣＭＯＳ型撮像素子５１と、この撮像素子５１の光電変換部５１ａに被写体像を撮像させる撮像レンズ（レンズユニットともいう）１０と、撮像素子５１を保持すると共にその電気信号の送受を行う外部接続用端子（不図示）を有する基板５２と、物体側からの光入射用の開口部を有し遮光部材からなる鏡筒としての筐体とを備え、これらが一体的に形成されている。
【００３１】
撮像素子５１は、その受光側の平面の中央部に、画素（光電変換素子）が２次元的に配置された、受光部としての光電変換部５１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、撮像素子５１の受光側の平面の外縁近傍には、多数のパッド（図示略）が配置されており、ワイヤ（不図示）を介して基板５２に接続されている。撮像素子５１は、光電変換部５１ａからの信号電荷をデジタルＹＵＶ信号等の画像信号等に変換し、ワイヤを介して基板５２上の所定の回路に出力する。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００３２】
図１に示すように、撮像素子５１の周囲に設けられた筒状のセンサカバー５３は、基板５２上に下端を当接させている。センサカバー５３の中央には、撮像レンズ１０と撮像素子５１との間に介在するようにして、ＩＲ（赤外線）カットフィルタＦが固定配置されている。
【００３３】
センサカバー５３の上部には、ピント調整用駆動機構であるＶＣＭ（ボイスコイルモータ）５４が配置されている。ＶＣＭ５４は、撮像レンズ１０を保持する筒状のホルダ５５を、光軸方向に駆動するようになっている。ＶＣＭ５４の上部には、上部カバー部５６が配置され、ホルダ５５を覆っている。
【００３４】
ホルダ５５によって保持された撮像レンズ１０は、物体側より順に、レンズＬ１と、開口絞りＳを有する絞り部材１１と、レンズＬ２と、遮光部材１２と、レンズＬ３とを有している。レンズＬ１は、光学機能部である光学部Ｌ１ａと、その周囲に形成されたフランジ部Ｌ１ｂとを有し、レンズＬ２は、光学機能部である光学部Ｌ２ａと、その周囲に形成されたフランジ部Ｌ２ｂとを有し、レンズＬ３は、光学機能部である光学部Ｌ３ａと、その周囲に形成されたフランジ部Ｌ３ｂとを有する。レンズＬ１のフランジ部Ｌ１ｂの周囲下面は、レンズＬ２の環状に突出したフランジ部Ｌ２ｂの上端に当接して、レンズＬ１，Ｌ２の光軸方向の位置決めを行っている。又、レンズＬ２のフランジ部Ｌ２ｂの周囲下面は、レンズＬ３の環状に突出したフランジ部Ｌ３ｂの上端に当接して、レンズＬ２，Ｌ３の光軸方向の位置決めを行っている。従って、レンズＬ１〜Ｌ３のレンズ間距離は精度良く設定されている。レンズＬ１のフランジ部Ｌ１ａの上端がホルダ５５の上壁下面に底付きした状態で、レンズＬ３のフランジ部Ｌ３ｂがホルダ５５の内壁に接着固定される。
【００３５】
ここで、図２を参照して、レンズＬ３のフランジ部Ｌ３ｂの上端（フランジ部Ｌ２ｂとの当接面）には、全周に溝部Ｌ３ｃが光軸方向に掘り下げて（即ち深さ方向になるように）形成されている。かかる溝部Ｌ３ｃは、矩形断面であるが抜き勾配を設けても良く、レンズＬ３の成形時に、金型の凸状部（不図示）により同時に成形できる。溝部Ｌ３ｃの内部の溝底側には、遮光性ＵＶ樹脂又は遮光性熱硬化性樹脂からなる遮光材ＳＨが液体の状態で充填された後、紫外線照射もしくは加熱により硬化して固定配置される。遮光材ＳＨの上に、例えばエポキシ系の接着剤ＢＤを塗布することで、レンズＬ３のフランジ部Ｌ３ｂは、レンズＬ２のフランジ部Ｌ２ｂに接着できる。本実施の形態では、レンズＬ３が第１のレンズを構成し、レンズＬ２の第２のレンズを構成する。
【００３６】
同様に、レンズＬ２のフランジ部Ｌ２ｂの上端（フランジ部Ｌ１ｂとの当接面）には、全周に溝部Ｌ２ｃが光軸方向に掘り下げて（即ち深さ方向になるように）形成されている。かかる溝部Ｌ２ｃは、レンズＬ２の成形時に、金型の凸状部（不図示）により同時に成形できる。溝部Ｌ２ｃの内部の溝底側には、遮光性ＵＶ樹脂又は遮光性熱硬化性樹脂からなる遮光材ＳＨが液体の状態で充填された後、紫外線照射もしくは加熱により硬化して固定配置される。遮光材ＳＨの上に、例えばエポキシ系の接着剤ＢＤを塗布することで、レンズＬ２のフランジ部Ｌ２ｂは、レンズＬ１のフランジ部Ｌ１ｂに接着できる。
【００３７】
上述したカメラモジュール５０の動作について説明する。撮像レンズ１０を介して、撮像素子５１の光電変換部５１ａに光学像が結像されると、撮像素子５１は、それに応じた電気信号を発生する。カメラモジュール５０から入力された画像信号は、携帯電話機等の上位装置の制御系により、記憶部に記憶されたり、或いは表示部で表示される。
【００３８】
本実施の形態によれば、フランジ部Ｌ２ｂに当接するフランジ部Ｌ３ｂと、フランジ部Ｌ１ｂに当接するフランジ部Ｌ２ｂの当接面に、光軸と平行な方向が深さ方向となるように対向して溝部Ｌ３ｃ、Ｌ２ｃをそれぞれ設けて、更に溝部Ｌ３ｃ、Ｌ２ｃ内に遮光材ＳＨを充填してなるので、遮光材ＳＨによりホルダ５５内に侵入した不要光が撮像素子５２に至ることを抑制でき、しかも遮光材ＳＨは溝部Ｌ３ｃ、Ｌ２ｃの縁からはみ出ないように充填されているので、フランジ部同士を互いに当接させた際に遮光材ＳＨが干渉せず、それにより所望のレンズ間距離を得ることができる。
【００３９】
更に、遮光材ＳＨに十分な遮光機能を持たせると、その分接着機能が低下することが多いことに鑑みて、溝部Ｌ３ｃ、Ｌ２ｃに充填された遮光材ＳＨには主として遮光機能を担保させ、レンズ同士は、溝部Ｌ３ｃ、Ｌ２ｃ内の遮光材ＳＨの上から塗布した接着剤ＢＤを用いて接着することで、遮光性と接着性とを両立させている。
【００４０】
特に、撮像素子５２にもっとも近い位置に配置されたレンズＬ３のフランジ部Ｌ３ｂに、遮光材ＳＨを設けることで、不要光が撮像素子ＳＨに侵入することを有効に抑制することができる。尚、レンズＬ３のフランジ部Ｌ３ｂに溝部を設ける代わりに、又はそれに加えて、それに対向するレンズＬ２のフランジ部Ｌ２ｂの下面に溝部を設けて同様な構成としても良い。更に、レンズＬ２のフランジ部Ｌ２ｂに溝部を設ける代わりに、又はそれに加えて、それに対向するレンズＬ１のフランジ部Ｌ１ｂの下面に溝部を設けて同様な構成としても良い。
【００４１】
図３は、上述したカメラモジュール５０に用いることができる第２の実施の形態にかかるレンズＬ４を光軸方向から見た図であり、図４は、レンズＬ４を光軸直交方向から見た図であり、図５は、図３のレンズＬ４をV-V線で切断して見た図であり、図６は、図５のレンズＬ４の矢印VI部を拡大して示す図である。
【００４２】
レンズＬ４は光学機能部としての光学部Ｌ４ａと、その周囲で環状に光軸方向に突出した保持用のフランジ部Ｌ４ｂとを有する。フランジ部Ｌ４ｂの外周側側面には、全周に矩形断面の溝部Ｌ４ｃが光軸直交方向に掘り下げるようにして形成されている。かかる溝部Ｌ４ｃは、レンズＬ４の成形後に、機械加工等で成形できる。図６に示すように、矩形断面であるため、溝部Ｌ４ｃの内部の溝底側には、遮光性ＵＶ樹脂又は遮光性熱硬化性樹脂からなる遮光材ＳＨが液体の状態で容易に充填でき、充填後には、紫外線照射もしくは加熱により硬化して固定配置される。遮光性ＵＶ樹脂又は遮光性熱硬化性樹脂は、溝部全体に充填される必要はなく、遮光を実現する程度で足りる。溝部は、フランジ部Ｌ４ｂの内周側に形成しても良い。
【００４３】
図７は、上述したカメラモジュール５０に用いることができる第３の実施の形態にかかるレンズＬ５の断面図である。レンズＬ５は光学機能部としての光学部Ｌ５ａと、その周囲で光軸とほぼ直交する方向に延在するフランジ面Ｌ５ｄ、Ｌ５ｄ’と、フランジ面５ｄの外周から環状に光軸方向に突出した保持用のフランジ部Ｌ５ｂとを有する。フランジ面Ｌ５ｄの両側面には、全周に三角断面の溝部Ｌ５ｃ、Ｌ５ｃ’が、径方向位置を互いに変え、且つ光軸方向に掘り下げて形成されている。溝部Ｌ５ｃ、Ｌ５ｃ’は、光学機能部Ｌ５ａと同時に成形できるが、金型の抜き勾配を考慮して三角断面となっており、従って成形性に優れている。溝部Ｌ５ｃ、Ｌ５ｃ’の内部の溝底側には、遮光性ＵＶ樹脂又は遮光性熱硬化性樹脂からなる遮光材ＳＨが液体の状態で充填された後、紫外線照射もしくは加熱により硬化して固定配置される。尚、径の小さな光学面側の溝部Ｌ５ｃの径を小さくすると好ましい。又、溝部Ｌ５ｃ、Ｌ５ｃ’のうち少なくとも一方は、他のレンズとの当接部に設けても良い。
【００４４】
図３〜６に示す溝部の場合、遮光機能を向上させようとすると、溝部を深く掘り下げる必要があり、それにより形成が困難となる恐れがある。これに対し、図７の実施の形態によれば、それぞれの溝部は互いに対向するフランジ面L5d,L5d'に形成されると共に、それぞれの溝部が、一方の溝部により薄くなったフランジ部の厚みを更に薄くするような干渉位置からずらして形成されている。即ち、フランジ面Ｌ５ｄ、Ｌ５ｄ’間の光軸方向距離Δ１に対して、それに形成された溝部Ｌ５ｃ、Ｌ５ｃ’の光軸方向距離Δ２，Δ２’の合計を大きく（例えばΔ１＜Δ２＋Δ２’）確保して遮光性を高めても、成形時のフランジ破損等を抑制できるため好ましい。
【００４５】
なお図７では光軸に略直交するフランジ面L5d,L5d'に上記のような溝部を形成する例を説明したが、このような溝部は必ずしも光軸に略直交するフランジ面に形成されるものには限定されず、光軸と略平行に形成されたフランジ部の壁部分において対向する面で同様な構成を適用するものであっても良い。この場合、光軸方向に進行する不要光を効果的に遮断できる点で好ましい。
【００４６】
図８は、上述したカメラモジュール５０に用いることができる本実施の変形例にかかるレンズＬ６のフランジ部Ｌ６ｂの拡大断面図である。本変形例においては、フランジ部Ｌ６ｄの外周面には、全周に三角断面の溝部Ｌ６ｃが、成形により光軸方向に掘り下げるようにして形成されている。溝部Ｌ６ｃの内部の溝底側には、遮光性ＵＶ樹脂又は遮光性熱硬化性樹脂からなる遮光材ＳＨが液体の状態で充填された後、紫外線照射もしくは加熱により硬化して固定配置される。
【００４７】
上述したように、溝部はフランジ部の表面に光軸とは略平行な方向に形成されると共に、溝部内に遮光材が収まるように充填されているので、遮光性を高めることができる。
【００４８】
更に、溝部を複数有し、それぞれはフランジ部の表面に光軸とは略平行な方向に形成されると共に、互いに対向する向きに形成されているので、遮光性を高めることができる。
【００４９】
又、溝部を複数備え、その内の少なくとも２つはそれぞれ前記フランジ部の互いに対向する面に形成されると共に、それぞれの溝部が、一方の溝部により薄くなったフランジ部の厚みを更に薄くするような干渉位置からずらして形成されているので、溝部を設けたことによる強度の低下を抑制できる。
【００５０】
例えば、単一の溝部の場合、レンズのフランジ部において光軸方向全長にわたって溝部を設けることはできないが、少なくとも一対の溝部を形成すれば、両者の光軸方向全長の合計が、フランジ部の光軸方向全長を超えるようにもでき、それにより遮光性を高めることができる。
【００５１】
又、溝部がレンズの全周に形成されていれば、別個に遮光シートを追加することなく、レンズ単体で不要光の侵入を抑制でき、それにより部品点数の削減や、レンズ間に介在する部品のバラツキによりレンズ性能の低下を抑制できる。
【００５２】
更に、レンズのフランジ部に溝部を形成すると、フランジ部の強度低下を招く恐れがある。これに対し、溝部に、硬化時間が早く取り扱い性に優れた遮光性ＵＶ樹脂を充填して、紫外線を照射することで固化させれば、すぐに一定の強度を確保できる。
【００５３】
一方、溝部に、硬化時間が早く取り扱い性に優れた遮光性熱硬化性を充填して、加熱することで固化させれば、すぐに一定の強度を確保できる。
【００５４】
溝部に、遮光材の他に、第１フランジ部と第２フランジ部との接合用の接着剤を充填すると良い。遮光材に十分な遮光機能を持たせると、その分接着機能が低下することが多い。そこで、溝部に充填された遮光材には主として遮光機能を担保させ、レンズ同士の接着機能は、前記遮光材の他に、前記第１フランジ部と前記第２フランジ部との接合用の接着剤により担保することで、遮光と接着とを両立させることができる。
【００５５】
第１レンズは、カメラモジュールの撮像素子にもっとも近い位置に配置されていると好ましい。例えば撮像素子から遠い位置のレンズに遮光材を設けたとしても、光学機能部での面間反射などにより、撮像レンズに最も近いレンズのフランジ部から不要光が侵入してしまう恐れがある。そこで、不要光が撮像素子に侵入することを有効に抑制するためには、撮像素子に最も近い第１レンズもしくはそれに当接する第２レンズに遮光材を設けることが好ましい。
【産業上の利用可能性】
【００５６】
本発明は、小型の携帯端末等に好適なレンズ、レンズユニット、カメラモジュールを提供できる。
【図面の簡単な説明】
【００５７】
【図１】本実施の形態にかかるカメラモジュール５０の断面図である。
【図２】カメラモジュール５０の矢印II部を拡大して示す図である。
【図３】第２の実施の形態にかかるレンズＬ４を光軸方向から見た図である。
【図４】レンズＬ４を光軸直交方向から見た図である。
【図５】図３のレンズＬ４をV-V線で切断して見た図であり、
【図６】図５のレンズＬ４の矢印VI部を拡大して示す図である。
【図７】第３の実施の形態にかかるレンズＬ５の断面図である。
【図８】本実施の変形例にかかるレンズＬ６のフランジ部Ｌ６ｂの拡大断面図である。
【符号の説明】
【００５８】
１０ 撮像レンズ
１１ 絞り部材
１２ 遮光部材
５０ カメラモジュール
５１ 撮像素子
５１ａ 光電変換部
５２ 基板
５３ センサカバー
５５ ホルダ
５６ 上部カバー部
ＢＤ 接着剤
Ｆ カットフィルタ
Ｌ１ レンズ
Ｌ１ａ 光学部
Ｌ１ｂ フランジ部
Ｌ２ レンズ
Ｌ２ａ 光学部
Ｌ２ｂ フランジ部
Ｌ２ｃ 溝部
Ｌ３ レンズ
Ｌ３ａ 光学部
Ｌ３ｂ フランジ部
Ｌ３ｃ 溝部
Ｌ４ レンズ
Ｌ４ａ 光学部
Ｌ４ｂ フランジ部
Ｌ４ｃ 溝部
Ｌ５ レンズ
Ｌ５ａ 光学部
Ｌ５ｂ フランジ部
Ｌ５ｃ、Ｌ５ｃ’ 溝部
Ｌ５ｄ、Ｌ５ｄ’ フランジ面
Ｌ６ レンズ
Ｌ６ｂ フランジ部
Ｌ６ｃ 溝部
Ｌ６ｄ フランジ部
Ｓ 開口絞り
ＳＨ 遮光材
【図１】
2010217279.tif 000003
【図２】
2010217279.tif 000004
【図３】
2010217279.tif 000005
【図４】
2010217279.tif 000006
【図５】
2010217279.tif 000007
【図６】
2010217279.tif 000008
【図７】
2010217279.tif 000009
【図８】
2010217279.tif 000010